(57)【要約】【課題】サポーターサイズゲージを装着するだけで、ユーザの手指に適したサポーターのサイズが簡単に分かるようにする。【解決手段】手指Ｔに巻かれる帯状部６１と、帯状部６１の基端部に形成された幅広部６２とを有し、帯状部６１には、サポーターのサイズを示すスケール６８が設けられ、幅広部６２には、帯状部６１の先端部６３を挿通可能な第１の開口６４及び第２の開口６５と、第１の開口６４及び第２の開口６５に挿通される帯状部６１の位置を指し示す指示部７０とが設けられ、帯状部６１をループ状に第１の開口６４及び第２の開口６５に通した場合に、このループの大きさに適合するサポーターのサイズが、スケール６８と指示部７０とが重なることで示され、先端部６３は先細り形状に形成され、第１の開口６４及び第２の開口６５の近傍には、先端部６３を挿通させる位置を示す案内表示６９を設けた。【選択図】図３
2009189681.tif 000002
【特許請求の範囲】
【請求項１】
ユーザの手指に巻かれる帯状部と、前記帯状部の基端部に形成された幅広部とを有し、
前記帯状部には、サポーターのサイズを示すスケールが設けられ、
前記幅広部には、前記帯状部の先端を挿通可能な通し穴と、前記通し穴に挿通される前
記帯状部の位置を指し示す指示部とが設けられ、
前記帯状部をループ状に前記通し穴に通した場合に、このループの大きさに適合する前
記サポーターのサイズが、前記スケールと前記指示部とが重なることで示され、
前記帯状部の先端は先細り形状に形成され、前記通し穴の近傍には、前記帯状部の先端
を挿通させる位置を示す案内表示が付されたこと、
を特徴とするサポーターサイズゲージ。
【請求項２】
前記スケールには、前記サポーターのサイズを示す複数のサイズ表示が前記サポーター
のサイズ毎に付され、前記複数のサイズ表示は前記帯状部の延在方向に並んだこと、
を特徴とする請求項１記載のサポーターサイズゲージ。
【請求項３】
前記複数のサイズ表示は、前記サポーターのサイズを示す文字、記号、及び、図形の少
なくともいずれかにより表示されたこと、
を特徴とする請求項２記載のサポーターサイズゲージ。
【請求項４】
前記複数のサイズ表示には、前記サポーターのサイズ毎に異なる色が付されたこと、
を特徴とする請求項２または３記載のサポーターサイズゲージ。
【請求項５】
前記通し穴は、前記帯状部の延在方向に並んで２つ設けられたこと、
を特徴とする請求項１から４のいずれかに記載のサポーターサイズゲージ。
【請求項６】
前記案内表示は、前記帯状部及び前記帯状部の先端の形状を模した図形であること、
を特徴とする請求項１から５のいずれかに記載のサポーターサイズゲージ。
【発明の詳細な説明】
【技術分野】
【０００１】
本発明は、ユーザの手指のサイズに適したサポーターのサイズの目安を示すサポーター
サイズゲージに関する。
【背景技術】
【０００２】
従来、ユーザの手指にセンサを密着させて血量変化等を検出し、腕部に装着された装置
本体部に脈拍等の生体情報を表示する腕装着型生体情報測定装置が知られている（例えば
、特許文献１参照）。
【特許文献１】特開２００６−５５５１７号公報
【発明の開示】
【発明が解決しようとする課題】
【０００３】
ところで、上述したセンサは、手指に巻きつけるようにして装着されるサポーターによ
って手指に密着するように固定される。ここで、正確に血量変化を検出するためには、セ
ンサは、手指の検出部位に適正な圧力で密着して押圧されなければならず、ユーザは、手
指の太さに合わせて複数のサイズのサポーターの中から自分に適したサイズを選択する必
要がある。しかし、どのサイズが自分に適しているかは外観では分かりにくいため、例え
ば、ユーザは複数のサイズのサポーターを試着して適したサイズを選択していた。このよ
うに、サポーターのサイズの選択は容易ではなく、手間がかかっていた。
そこで本発明は、ユーザの手指に適したサポーターのサイズを、簡単に分かるようにす
ることを目的とする。
【課題を解決するための手段】
【０００４】
上記課題を解決するため、本発明は、ユーザの手指に巻かれる帯状部と、前記帯状部の
基端部に形成された幅広部とを有し、前記帯状部には、サポーターのサイズを示すスケー
ルが設けられ、前記幅広部には、前記帯状部の先端を挿通可能な通し穴と、前記通し穴に
挿通される前記帯状部の位置を指し示す指示部とが設けられ、前記帯状部をループ状に前
記通し穴に通した場合に、このループの大きさに適合する前記サポーターのサイズが、前
記スケールと前記指示部とが重なることで示され、前記帯状部の先端は先細り形状に形成
され、前記通し穴の近傍には、前記帯状部の先端を挿通させる位置を示す案内表示が付さ
れたことを特徴とするサポーターサイズゲージを提供する。
【０００５】
この場合において、前記スケールには、前記サポーターのサイズを示す複数のサイズ表
示が前記サポーターのサイズ毎に付され、前記複数のサイズ表示は前記帯状部の延在方向
に並んだ構成としても良い。
また、前記複数のサイズ表示は、前記サポーターのサイズを示す文字、記号、及び、図
形の少なくともいずれかにより表示された構成としても良い。
また、前記複数のサイズ表示には、前記サポーターのサイズ毎に異なる色が付された構
成としても良い。
さらに、前記通し穴は、前記帯状部の延在方向に並んで２つ設けられた構成としても良
い。
さらにまた、前記案内表示は、前記帯状部及び前記帯状部の先端の形状を模した図形で
ある構成としても良い。
【発明の効果】
【０００６】
本発明によれば、サポーターサイズゲージを装着するだけで、ユーザの手指に適したサ
ポーターのサイズが簡単に分かる。
【発明を実施するための最良の形態】
【０００７】
以下、本発明の実施の形態を添付の図面を参照しながら説明する。
図１は、本発明の一実施の形態における腕装着型生体情報測定装置１をユーザに装着し
た状態を示す概要図である。
本実施の形態で示す腕装着型生体情報測定装置１は、生体情報として脈拍を用い、生体
情報値として脈拍数を検出するものである。腕装着型生体情報測定装置１は、例えば、ユ
ーザが運動をしているときであっても、生体情報を確認することができるものである。
腕装着型生体情報測定装置１は、腕時計構造を有する装置本体部１０と、この装置本体
部１０に接続されるケーブル２０と、このケーブル２０の先端に設けられた脈波センサ３
０と、脈波センサ３０を挟み込む態様でユーザの手指Ｔに密着させるセンサ装着用のサポ
ーター４０とを備えている。サポーター４０は、図１に示すように、左手の人差し指に装
着されている。
【０００８】
装置本体部１０には、腕時計における１２時方向から腕に巻き付いてその６時方向で固
定されるリストバンド１２が設けられている。このリストバンド１２によって、装置本体
部１０は、腕に着脱自在に装着されている。また、装置本体部１０の６時の側には、コネ
クタ部２１が設けられており、このコネクタ部２１にケーブル２０の一端側に設けられた
コネクタピース８０が着脱自在に取り付けられるようになっている。
また、装置本体部１０は、樹脂製の時計ケース１１を備えている。時計ケース１１の表
面側には、時刻や日付に加えて、走行時や歩行時のピッチ、及び脈拍数などを表示するＥ
Ｌバックライト付きの液晶表示装置１３が設けられている。
【０００９】
脈波センサ３０は、ＬＥＤ（図示略）及びフォトトランジスタ（図示略）を備え、ＬＥ
Ｄが発した光のうち手指Ｔから反射してくる光をフォトトランジスタが受光することで脈
波を検出し、脈波は制御部（図示略）により解析されて脈拍が測定される。詳細には、Ｌ
ＥＤから手指Ｔに向けて光を照射すると、この光が手指Ｔの血管に届いて血液中のヘモグ
ロビンによって光の一部は吸収され、一部は反射する。手指Ｔの血管から反射してきた光
は、フォトトランジスタによって受光され、その受光量変化が血量変化（血液の脈波）に
対応する。すなわち、血量が多いときには、反射光が弱くなる一方、血量が少なくなると
、反射光が強くなるので、反射光強度の変化を検出すれば、脈拍数を含む各種生体情報な
どを測定できる。このため、脈拍を正確に測定するためには、脈波センサ３０を脈拍の測
定に適した所定の圧力で手指Ｔに確実に密着させて、外部の光を脈波センサ３０に侵入さ
せないことが必要である。
【００１０】
図２は、手指Ｔに脈波センサ３０を装着する場合のサポーター４０の斜視図である。
サポーター４０は、筒状に形成され、手指Ｔの形状に合わせて指先の方向に向けて先細
りのテーパーを有している。また、サポーター４０は、伸縮性を有する材料で構成され、
特に周方向に高い伸縮性を有する。さらに、サポーター４０は、その内側（手指Ｔに接す
る面）に脈波センサ３０を固定するための固定バンド５０を備えている。固定バンド５０
は伸縮性を有するゴム等により構成されており、脈波センサ３０は、ケーブル２０が固定
バンド５０に挟まれるようにしてサポーター４０の内周側に固定されている。そして、サ
ポーター４０に対し、図２の矢印Ａで示す方向に手指Ｔを挿入してサポーター４０を装着
すると、サポーター４０は手指Ｔの周方向に伸び、脈波センサ３０は、収縮方向の弾性力
により押さえ付けられるようにして手指Ｔに密着する。また、脈波センサ３０は、脈拍の
測定に適した無毛部である腹側の面Ｕに密着している。
【００１１】
上述したように、脈波センサ３０は、サポーター４０を装着することで手指Ｔに密着す
る。しかしながら、手指Ｔの太さはユーザにより様々であるため、高伸縮を有する材料を
用いたとしても１つのサイズで様々な手指Ｔの太さに対応することは難しい。このため、
サポーター４０は、様々な手指Ｔの太さに対応して確実に脈波センサ３０を手指Ｔに密着
させるために、内径が異なる複数のサイズが用意されている。本実施の形態では、サポー
ター４０のサイズとしては、Ｌ（大）、Ｍ（中）及びＳ（小）の３種類のサイズがある。
また、サポーター４０の表面のサポーターサイズ表示４１には、Ｌ、Ｍ及びＳのいずれか
の文字によりサポーター４０のサイズが示されている。さらに、サポーター４０の表面に
は、識別のために、サポーター４０のサイズ毎にそれぞれ異なる色が着色されている。
サポーター４０には３種類のサイズがあり、ユーザは、自分の手指Ｔの太さに適したサ
ポーター４０のサイズを正しく選択する必要があるが、後述するサポーターサイズゲージ
６０を用いてユーザの手指Ｔの太さを測定すれば、ユーザは、自分の手指Ｔに適したサポ
ーター４０のサイズを簡単に知ることができる。
【００１２】
図３は、サポーターサイズゲージ６０の平面図である。
サポーターサイズゲージ６０は、ユーザの手指Ｔに巻き付けて使用され、ユーザの手指
Ｔに適したサポーター４０のサイズを指し示す測定具である。
サポーターサイズゲージ６０は、手指Ｔに巻き付けられる帯状部６１と、帯状部６１を
ガイドする幅広部６２とを備えている。帯状部６１は、同一幅の帯が直線状に延びるよう
に形成され、幅広部６２は、帯状部６１の基端部に形成されている。一方、帯状部６１の
末端側の先端部６３は、先細に形成されている。先端部６３は、帯状部６１の幅方向の一
端を頂点として幅方向の他端側に斜めに切り取るようにして鋭角に形成され、その頂点は
Ｒ形状に形成されている。
幅広部６２は、帯状部６１の幅より大きな幅を有する略矩形に形成されている。幅広部
６２には、帯状部６１が挿通される第１の開口６４（通し穴）及び第２の開口６５（通し
穴）が形成されている。そして、第１の開口６４及び第２の開口６５は、帯状部６１の延
長方向に並べて形成されている。第１の開口６４は、サポーターサイズゲージ６０におけ
る幅広部６２の側の端である端部６６の側に位置し、第２の開口６５は、帯状部６１の基
端部の側に位置している。また、第１の開口６４と第２の開口６５との間には、第１の開
口６４と第２の開口６５とを仕切る桟部６７が形成されている。
また、帯状部６１の長さ方向の中央付近には、ユーザの手指Ｔの太さに適したサポータ
ー４０のサイズを示すスケール６８が設けられている。スケール６８には、帯状部６１の
先端部６３の側から順にそれぞれＬ、Ｍ及びＳの文字を表示するサイズ表示６８ａが並ん
でいる。
サポーターサイズゲージ６０は、例えば、紙に樹脂製のシートをラミネートして構成さ
れており、各サイズ表示６８ａを印刷により設けることができる。
【００１３】
第１の開口６４及び第２の開口６５の近傍には、帯状部６１の先端部６３を通す位置を
図形で示した案内表示６９が設けられている。そして、案内表示６９は、端部６６と第１
の開口６４との間に位置する第１の案内表示６９ａと、第２の開口６５から帯状部６１の
基端部にかけて位置する第２の案内表示６９ｂとにより構成されている。ここで、第１の
案内表示６９ａは、帯状部６１の形状を模した図形であり、第２の案内表示６９ｂは、先
端部６３の形状を模した図形である。詳細には、第１の案内表示６９ａは、帯状部６１よ
り若干小さい幅を有し、また、第２の案内表示６９ｂの形状は、先端部６３よりも若干小
さく形成された先端部６３と相似の形状であり、その先端は先細に形成されている。また
、桟部６７には案内表示６９は設けられていない。そして、ユーザは、案内表示６９に重
なるように先端部６３を第１の開口６４及び第２の開口６５に通すことで、正しい位置及
び方向に先端部６３を通すことができる。
さらに、端部６６と第１の開口６４との間には、帯状部６１に重なるようにして帯状部
６１の位置を指し示す指示部７０が設けられている。指示部７０は、三角形の一つの頂点
が第１の案内表示６９ａに正対するように配置された表示であり、第１の案内表示６９ａ
を挟んで対向するように２箇所に設けられている。
【００１４】
図４は、サポーターサイズゲージ６０を手指Ｔに装着した状態を示す斜視図である。
サポーター４０の装着部位は左手の人差し指の根元付近であるため、サポーターサイズ
ゲージ６０はサポーター４０と同様に、左手の人差し指の根元付近に装着される。
ここで、サポーターサイズゲージ６０の装着方法を説明する。まず、ユーザは、サポー
ターサイズゲージ６０の帯状部６１を、スケール６８がループ７１（図４）の外側に露出
するように丸める。次いで、先端部６３を、第１の案内表示６９ａに先端部６３が重なる
ようにして第１の開口６４に通し、先端部６３を桟部６７に潜り込ませるようにして第２
の開口６５に通す。そして、第２の開口６５を通った先端部６３を、さらに第２の案内表
示６９ｂの先細の先端が示す方向に引っ張り、指示部７０が帯状部６１のスケール６８と
先端部６３との間の位置を指し示すようにする。これによりサポーターサイズゲージ６０
はループ状に形成される。この状態では、ループ状のサポーターサイズゲージ６０の内径
は手指Ｔの太さよりも大きい。
続いて、ループ状に形成されたサポーターサイズゲージ６０を手指Ｔに嵌め込み、帯状
部６１を引っ張ると、サポーターサイズゲージ６０は図４に示すように手指Ｔに締め付け
られる。これにより、サポーターサイズゲージ６０は手指Ｔに密着して装着され、この状
態では、ループ７１の周長と手指Ｔの周長とはほぼ等しい。ここで、ループ７１の周長と
は、ループ７１を形成した際に指示部７０が示す位置を基点としてループ７１を１周した
長さを指す。
【００１５】
上述の装着方法により、サポーターサイズゲージ６０を手指Ｔに密着して装着すると、
図４に示すように、指示部７０は、スケール６８の各サイズ表示６８ａの中から手指Ｔに
適したサポーター４０のサイズを指し示す。
ここで、手指Ｔの周長と、手指Ｔの周長に対応したサポーター４０のサイズとの関係は
、予め実験等に基づいて設定されており、サポーター４０を装着した際に脈波の測定に適
した所定の圧力で手指Ｔに脈波センサ３０を固定できるように設定されている。そして、
予め設定されたサポーター４０のサイズと手指Ｔの周長の値ｘ１〜ｘ４（図３）との関係
は、Ｓサイズがｘ１以上ｘ２未満の範囲、Ｍサイズがｘ２以上ｘ３未満の範囲、Ｌサイズ
がｘ３以上ｘ４以下の範囲である。
スケール６８のＬ、Ｍ及びＳの各サイズ表示６８ａには、それぞれ帯状部６１の長さ方
向に、各サイズのサポーター４０に適合する手指Ｔの周長の範囲を示す領域が割り当てら
れている。これらの各領域は、サポーター４０のサイズ毎の色に対応して、それぞれ異な
る色に着色されている。また、各サイズのサポーター４０は、それぞれ同一の伸縮率を有
する素材で構成されているので、伸縮可能な量はＬサイズが最も大きく、各サイズ表示６
８ａの長さは、Ｌが最も長く、Ｍ、Ｓの順に短くなっている。
【００１６】
図３に示すように、サポーターサイズゲージ６０には、指示部７０を基点として帯状部
６１の延長方向にそれぞれ長さｘ１、ｘ２、ｘ３、及び、ｘ４だけ離れた位置に、スケー
ル６８を各サイズ表示６８ａに区切る境界がそれぞれ設けられている。これらの長さｘ１
、ｘ２、ｘ３、ｘ４は、それぞれ上記の手指Ｔの周長に対応している。
任意の周長のループ７１を形成した場合、このときに指示部７０が指し示す帯状部６１
の位置は、サポーターサイズゲージ６０を展開した状態で指示部７０を基点として任意の
周長と等しい長さだけ離れた帯状部６１の位置に等しい。すなわち、例えば、周長がｘ２
以上ｘ３未満の範囲にあるループ７１を形成した場合、指示部７０は、展開した状態で指
示部７０を基点としてｘ２以上ｘ３未満だけ離れた位置にあったＭのサイズ表示６８ａを
指し示す。
【００１７】
図５は、図４のスケール６８の近傍の拡大図である。
図５の状態では、指示部７０の先端は、サイズ表示６８ａのＬの領域を指し示しており
、このユーザの手指Ｔの太さに適したサポーター４０のサイズはＬであることが分かる。
また、例えば、より手指Ｔが細いユーザがサポーターサイズゲージ６０を使用し、スケー
ル６８のＬのサイズ表示６８ａに隣接するＭのサイズ表示６８ａが示された場合は、その
ユーザに適したサイズはＭであることが分かる。
このように、サポーターサイズゲージ６０を手指Ｔに装着すると、ループ７１の周長は
手指Ｔの周長とほぼ一致し、このとき、指示部７０は、手指Ｔの周長に対応したサイズ表
示６８ａを指し示す。これにより、ユーザは、サポーターサイズゲージ６０を装着するだ
けでユーザの手指Ｔに適したサポーター４０のサイズを簡単に知ることができる。
【００１８】
さらに、サポーターサイズゲージ６０は、手指Ｔに装着されると、帯状部６１及び幅広
部６２が手指Ｔの周に沿って変形して密着する。そして、第１の開口６４及び第２の開口
６５を通る帯状部６１は、幅広部６２の第１の案内表示６９ａが付された部分と桟部６７
とにより帯状部６１の厚み方向から上下に挟まれるようにして手指Ｔに巻き付くように固
定される。このため、サポーターサイズゲージ６０は、ユーザが帯状部６１を引っ張り、
締め付けられるようにして手指Ｔに装着されると、幅広部６２により帯状部６１が挟まれ
るため、ユーザが帯状部６１を引っ張った手を離しても巻き付いた状態が維持される。
【００１９】
以上説明したように、本発明を適用した実施の形態によれば、スケール６８が設けられ
た帯状部６１を第１の開口６４及び第２の開口６５に通してループ７１を形成し、ループ
７１を手指Ｔに嵌めて手指Ｔに密着するようにループ７１を締めこむと、手指Ｔの太さに
適合するサポーター４０のサイズが、指示部７０とスケール６８とが重なることで示され
る。この際、帯状部６１の先端部６３が先細り形状に形成されているため、帯状部６１を
、第１の開口６４及び第２の開口６５に容易に通すことができる。
さらに、第１の開口６４及び第２の開口６５の近傍には、先端部６３を挿通させる位置
を示す案内表示６９が設けられており、ユーザは、案内表示６９に従って帯状部６１を第
１の開口６４及び第２の開口６５に通すことで容易に、かつ、正しくループ７１を形成で
きる。従って、ユーザは、容易に、かつ、正しくサポーターサイズゲージ６０を手指Ｔに
装着でき、サポーターサイズゲージ６０を装着するだけでユーザの手指Ｔに適したサポー
ター４０のサイズが簡単に分かる。
また、スケール６８には、複数のサイズ表示６８ａが帯状部６１の延在方向に並んでい
るため、手指Ｔにサポーターサイズゲージ６０を装着すると、手指Ｔの太さに応じて複数
のサイズの中からユーザの手指Ｔに適したサポーター４０のサイズが示される。これによ
り、サポーターサイズゲージ６０を装着するだけで手指Ｔに適したサポーター４０のサイ
ズが簡単に分かる。
また、スケール６８のサイズ表示６８ａを、Ｌ、Ｍ及びＳの文字により識別できるため
、ユーザの手指Ｔに適したサポーター４０のサイズが簡単に分かる。
【００２０】
また、スケール６８のサイズ表示６８ａを、サポーター４０のサイズ毎に付された異な
る色により識別できるため、ユーザの手指Ｔに適したサポーター４０のサイズが簡単に分
かる。
また、帯状部６１は幅広部６２により上下から挟まれるようにして固定されるため、サ
ポーターサイズゲージ６０は、それ自体が手指Ｔに巻き付いて固定されるように装着でき
る。このため、ユーザが手を添えなくてもサイズ表示６８ａが指示部７０により示された
状態が維持されるため、サポーターサイズゲージ６０を装着するだけでユーザの手指Ｔに
適したサポーター４０のサイズが簡単に分かる。
【００２１】
さらに、案内表示６９ａ及び第２の案内表示６９ｂに重なるようにして帯状部６１及び
先端部６３を第１の開口６４及び第２の開口６５に挿通すれば、正しく帯状部６１を挿通
できる。また、先端部６３が帯状部６１の幅方向の一端を頂点として鋭角に形成されてい
るため、先端部６３の形状と第２の案内表示６９ｂの形状とを比較することで、帯状部６
１の挿通の向きを確認できる。さらに、帯状部６１を通す位置及び方向が帯状部６１及び
先端部６３を模した図形により表示されており、ユーザは直感的に帯状部６１を通すこと
ができるため、使用方法をほとんど知らないユーザでも容易にサポーターサイズゲージ６
０を使用できる。従って、ユーザは、容易に、かつ、正確にサポーターサイズゲージ６０
を装着でき、サポーターサイズゲージ６０を装着するだけでユーザの手指Ｔに適したサポ
ーター４０のサイズが簡単に分かる。
【００２２】
また、上記実施の形態においては、先端部６３は帯状部６１の幅方向の一端を頂点とし
て鋭角に形成されるものとして説明したが、本願発明はこれに限定されるものではなく、
先細に形成されていれば先端部６３とは異なる形状としても良い。この場合について、変
形例として説明する。
【００２３】
［変形例］
図６は、実施の形態の変形例としてのサポーターサイズゲージ６０の平面図である。
図６に示す変形例において上記実施の形態と同様の部分には、同一の符号を付して説明
を省略する。
帯状部６１の先端部１６３は、帯状部６１の幅方向の中央を頂点として鋭角に形成され
ている。また、先端部１６３の頂点はＲ形状に形成されている。
また、第１の開口６４及び第２の開口６５の近傍には、先端部１６３を通す位置を図形
で示した案内表示１６９が付されている。そして、案内表示１６９は、端部６６と第１の
開口６４との間に位置する第１の案内表示６９ａと、第２の開口６５から帯状部６１の基
端部にかけて位置する第２の案内表示１６９ｂとにより構成されている。ここで、第１の
案内表示６９ａは、帯状部６１の形状を模した図形であり、第２の案内表示１６９ｂは、
先端部１６３の形状を模した図形である。詳細には、第１の案内表示６９ａは、帯状部６
１より若干小さい幅を有し、また、第２の案内表示１６９ｂの形状は、先端部１６３より
も若干小さく形成された先端部１６３と相似の形状であり、その先端は先細に形成されて
いる。そして、ユーザは、先端部１６３を、案内表示１６９に重なるように第１の開口６
４及び第２の開口６５に通すことで、正しい位置及び方向に帯状部６１を通すことができ
る。
このように、先端部１６３の形状は様々な先細の形状に形成することができる。そして
、第２の案内表示１６９ｂの形状と先端部１６３の形状とは、相似形や略同一の形状に形
成するなどしてユーザが帯状部６１を通す位置及び方向を容易に認識できるようにするこ
とが望ましい。例えば、先端部１６３の全体をＲ形状に形成した場合は、合わせて第２の
案内表示１６９ｂの先端の形状を先端部１６３と略同一のＲ形状に形成すれば良い。
【００２４】
なお、上記実施の形態は本発明を適用した一態様を示すものであって、本発明は上記実
施の形態に限定されない。例えば、上記実施の形態では、通し穴として第１の開口６４及
び第２の開口６５により２つの通し穴を備え、帯状部６１は第１の開口６４及び第２の開
口６５の両方を通るものとして説明したが、本発明はこれに限定されるものではなく、通
し穴として１つの開口のみを設けても良く、通し穴の数は任意である。また、上記実施の
形態では、スケール６８の各サイズ表示６８ａは文字により表示されるものとして説明し
たが、記号や図形によって表示されても良い。また、上記実施の形態では、スケール６８
の各サイズ表示６８ａは、文字による表示に加えて、サイズ毎に異なる色が着色されるも
のとして説明したが、文字と着色の少なくともいずれか一方が付されて各サイズ表示６８
ａが識別されるようにしても良い。さらに、上記実施の形態では、案内表示６９は、帯状
部６１及び先端部６３の形状を模した図形により構成されるものとして説明したが、矢印
等を第１の開口６４及び第２の開口６５の近傍に設けて案内表示６９を構成し、帯状部６
１を通す位置及び方向を示しても良い。その他の細部構成についても任意に変更可能であ
ることは勿論である。
【図面の簡単な説明】
【００２５】
【図１】実施の形態における腕装着型生体情報測定装置を示す概要図である。
【図２】手指に脈波センサを装着する場合のサポーターの斜視図である。
【図３】サポーターサイズゲージの平面図である。
【図４】サポーターサイズゲージを手指に装着した状態を示す斜視図である。
【図５】図４のスケールの近傍の拡大図である。
【図６】変形例のサポーターサイズゲージの平面図である。
【符号の説明】
【００２６】
１…腕装着型生体情報測定装置、１０…装置本体部、３０…脈波センサ、４０…サポー
ター、４１…サポーターサイズ表示、６０…サポーターサイズゲージ、６１…帯状部、６
２…幅広部、６３、１６３…先端部、６４…第１の開口（通し穴）、６５…第２の開口（
通し穴）、６７…桟部、６８…スケール、６８ａ…サイズ表示、６９、１６９…案内表示
、６９ａ…第１の案内表示、６９ｂ、１６９ｂ…第２の案内表示、７０…指示部、７１…
ループ、Ｔ…手指。
【図１】
2009189681.tif 000003
【図２】
2009189681.tif 000004
【図３】
2009189681.tif 000005
【図４】
2009189681.tif 000006
【図５】
2009189681.tif 000007
【図６】
2009189681.tif 000008